(57)【要約】【課題】  ヘッドホンにおいて、外観デザイン面の自由度を高め、柔軟な弾力性を有しながら元の形状を維持しやすく、装着感が良いヘッドバンドの構造とする。【解決手段】  ヘッドホンにおいて、オーディオ信号を音として出力するスピーカドライバがそれぞれ収納された左右一対のハウジングと、左右一対のハウジングを接続するヘッドバンドと、スピーカドライバにオーディオ信号を伝送するワイヤーとを備え、ヘッドバンドは弾性体で構成されたパイプを複数備え、パイプ内には、弾力を有するスプリング板及びスプリング板の上下にワイヤーが配置される。【選択図】      図１
2013138349.tif 000002
【特許請求の範囲】
【請求項１】
オーディオ信号を音として出力するスピーカドライバがそれぞれ収納された左右一対のハウジングと、前記左右一対のハウジングを接続するヘッドバンドと、前記スピーカドライバにオーディオ信号を伝送するワイヤーとを備え、前記ヘッドバンドは、弾性体で構成されたパイプを複数備え、前記パイプ内には、弾力を有するスプリング板及び前記スプリング板の上下に前記ワイヤーが配置されることを特徴とするヘッドホン。
【請求項２】
請求項１に記載のヘッドホンであって、前記ヘッドバンドは、使用者の頭部に接触するヘッドパッドを備え、前記複数のスプリング板は前記ヘッドパッド内で接続して構成されていることを特徴とするヘッドホン。
【発明の詳細な説明】
【技術分野】
【０００１】
本発明は、オーディオ再生装置等に接続して、音楽、音声等の聴取に使用するヘッドホンに関する。
【背景技術】
【０００２】
使用者が、頭部、左右の耳に装着して、音楽、音声等の聴取に使用するヘッドホンにおいて、左右の耳にそれぞれ装着する、スピーカドライバを内蔵したハウジングを、ヘッドバンドで接続し、当該ヘッドバンドは、左右のハウジングを支持しながら、頭部上方に装着される構成としたヘッドホンが、一般的に知られている。
【０００３】
前記左右のハウジングには、それぞれ、オーディオ信号を音に変換して出力するスピーカドライバが備えられ、当該スピーカドライバにオーディオ信号を伝送するためのワイヤーは、ヘッドバンドを通して接続されるものがあった。
【０００４】
このようなワイヤーを通すヘッドバンドとして、樹脂製のチューブを用いたものがあった（特許文献１参照）。
【先行技術文献】
【特許文献】
【０００５】
【特許文献１】特開２００２−２４７６７７号公報
【発明の概要】
【発明が解決しようとする課題】
【０００６】
従来の、樹脂製のチューブにワイヤーを通す構成では、ヘッドホンの外観デザインが良く、樹脂製チューブの弾力性を活かしヘッドバンドを広げたり狭めたり柔軟に変形できるが、一方では、樹脂製のチューブ自体の形状が変形しやすく、元の形状が維持されなくなる場合があった。
また、ヘッドバンドを樹脂製のチューブだけで構成した場合、頭部への接触が少なく通気性が優れている反面、左右の耳に装着したハウジングだけで頭部に支持されるため、左右の耳の周囲に圧力がかかり、使用者によっては良好な装着感が得られない場合があった。
【０００７】
本願発明は、ヘッドホンにおいて、外観デザイン面の自由度を高め、柔軟な弾力性を有しながら元の形状を維持しやすく、組み立てやすいヘッドバンドの構造とすることを目的とする。
【課題を解決するための手段】
【０００８】
本願発明に係るヘッドホンは、オーディオ信号を音として出力するスピーカドライバがそれぞれ収納された左右一対のハウジングと、前記左右一対のハウジングを接続するヘッドバンドと、前記スピーカドライバにオーディオ信号を伝送するワイヤーとを備え、前記ヘッドバンドは、弾性体で構成されたパイプを複数備え、前記パイプ内には、弾力を有するスプリング板及び前記スプリング板の上下に前記ワイヤーが配置されるものである。
【０００９】
また、本願発明に係るヘッドホンは、前記ヘッドバンドは使用者の頭部に接触するヘッドパッドを備え、前記複数のスプリング板は前記ヘッドパッド内で接続して構成されていることを特徴とするものである。
【発明の効果】
【００１０】
本発明のヘッドホンによれば、外観デザイン面の自由度を高め、柔軟な弾力性を有しながら元の形状を維持しやすく、装着感が良いヘッドバンドの構造とすることができる。
【図面の簡単な説明】
【００１１】
【図１】本発明のヘッドホンの一実施形態の概略構成を示す図である。
【図２】本発明のヘッドホンの一実施形態の上方から見た複数のパイプ内部の概略構成を示す図である。
【図３】本発明のヘッドホンの一実施形態のパイプ内部の概略構成を示す図である。
【図４】本発明のヘッドホンの一実施形態のスプリング板の他の形状を示す図である。
【発明を実施するための形態】
【００１２】
図１は、本発明のヘッドホンの一実施形態の概略構成を示す図である。
使用者が、頭部、左右の耳に装着して、音楽、音声等の聴取に使用するヘッドホンにおいて、左右のハウジング１には、それぞれ図示しないスピーカドライバを内蔵するように収納され、左右の耳にそれぞれ装着するためイヤーパッド２が取り付けられている。
【００１３】
パイプ３及びヘッドパッド４はヘッドバンドを構成し、左右それぞれのハウジング１を接続する。パイプ３は前後に２本並行して備える。ヘッドパッド４は、図示しないクッション材を内部に備え、前後２本のパイプ３を共に包むように設ける。ヘッドバンド４は、使用者の頭頂部に接触し、ヘッドホンの装着状態を支持する。
【００１４】
図２は、本発明のヘッドホンの一実施形態の上方から見たパイプ内部の概略構成を示す図である。パイプ３には、熱可塑性エラストマー等の弾性体の材料が使用される。パイプ３は前後に２本並行して配置される。２本のパイプ３のそれぞれ一方は、ハウジング１内に取り付けられる。パイプ３内には、ＳＵＳ(Steel Use Stainless)製等のスプリング板５を通し、その上下にワイヤー６を通して配置する。パイプ３は、その配置状態を維持しながら、ヘッドパッド４によって、２本ともに包まれる。なお、スプリング板５は、ＳＵＳに限定されず、その他の弾力性を有する金属板を用いてもよい。
【００１５】
図３は、本発明のヘッドホンの一実施形態のパイプ内部の概略構成を示す図である。パイプ３内には、スプリング板５を通し、その上下にワイヤー６を通して配置する。
【００１６】
パイプ３の内部にワイヤー６を通す構造とすることでワイヤー６が露出することがなくなり、露出したワイヤー６を隠すなどのデザイン上の制約がなくなる。また、パイプ３内にスプリング板５を通すことにより、ヘッドバンドの弾力性を強め、形状変化に対して復元しやすくできる一方で、熱可塑性エラストマー等の弾性体のパイプ３を使用することにより、柔軟な形状変化に対応でき、デザイン上の自由度が生まれる。また、ワイヤー６をパイプ３に通すことにより、ワイヤー６が外部に露出しないため、使用者がヘッドホンの装着時等に、誤ってワイヤー６を傷つけたり破損したりすることがない。
【００１７】
パイプ３内にスプリング板５及びその上下にワイヤー６を通す組み立てやすい構造としながら、２本のワイヤー６をＳＵＳ製のスプリング板５によって仕切るので、ワイヤー６の相互の干渉を防止することができる。更に、ワイヤー６をパイプ３内に通すことにより、左右のハウジング１の間の配線が、１本のパイプ３に対して２本まで外部に露出しないため、デザインの自由度が広がるとともに、ワイヤー６を外部環境から保護し破損を回避することができる。
【００１８】
図４は、本発明のヘッドホンの一実施形態のスプリング板の他の形状を示す図であり、前後２本のパイプを通すスプリング板をヘッドパッドによって包まれる部分で一体構成とした実施例を示す。
スプリング板５は、２本のスプリング板５ａ、５ｂを接続し一体として構成したものであり、スプリング板５の両端部（ハウジング１に接続される端部）において、スプリング板５ａ、５ｂに、それぞれパイプ３が通される。ワイヤー６は、それぞれのスプリング板５ａ、５ｂの上下に沿って配設され、スプリング板５ａ、５ｂを接続した部分全体は、クッション材を内側に備えるヘッドパッド４で包まれる。
スプリング板５ａ、５ｂを一体構成とすることにより、適度に変形可能な弾力性を有しながら、変形後の元の形状への復元力を維持することができる。
【産業上の利用可能性】
【００１９】
本発明は、ヘッドバンドを備えるヘッドホンに利用することができる。
【符号の説明】
【００２０】
１  ハウジング
２  イヤーパッド
３  パイプ
４  ヘッドパッド
５、５ａ  スプリング板
６  ワイヤー
【図１】
2013138349.tif 000003
【図２】
2013138349.tif 000004
【図３】
2013138349.tif 000005
【図４】
2013138349.tif 000006